【手続補正書】
【提出日】平成22年10月14日(2010.10.14)
【手続補正１】
【補正対象書類名】特許請求の範囲
【補正対象項目名】全文
【補正方法】変更
【補正の内容】
【特許請求の範囲】
【請求項１】
基準地点の地図または風景が変化していない期間と略同じ期間、地図が変化していない参照地点を検索し、この検索した参照地点を表す情報を表示することを特徴とする地図表示方法。
【請求項２】
カメラの位置情報を、インターネット網を介してサーバーに送信し、
上記サーバーは上記位置情報に基づいて上記参照地点の検索を行い、上記参照地点を表わす情報を上記インターネット網を介して上記カメラに送信する、
ことを特徴とする請求項１に記載の地図表示方法。
【請求項３】
カメラで撮影した画像を、インターネット網を介してサーバーに送信し、
上記サーバーは上記画像に基づいて上記参照地点の検索を行い、上記参照地点を表わす情報を上記インターネット網を介して上記カメラに送信する、
ことを特徴とする請求項１に記載の地図表示方法。
【請求項４】
携帯情報機器の位置情報を取得し、
上記携帯情報機器は、上記位置情報をサーバーに送信し、
上記サーバーは、上記携帯情報機器からの上記位置情報を受信すると、上記位置情報に基づいて、年代別地図ＤＢに記録されている地図情報を検索し、地図上の変化を判定し、基準地点の地図または風景が変化していない期間と略同じ期間、地図が変化していない参照地点を検索し、
この検索した参照地点を表す情報を上記携帯情報機器に送信し、
上記携帯情報機器は表示部に上記検索した参照地点を表わす情報を表示する、
ことを特徴とする地図表示方法。
【請求項５】
基準地点の風景を表す参照画像および基準地点の位置情報の少なくとも１つをサーバーに送信し、
上記サーバーより、上記基準地点の地図が変化していない期間と略同じ期間、地図が変化していない参照地点の検索結果を受信し、
上記検索した参照地点を表す情報を表示する、
ことを特徴とする携帯機器における地図表示方法。
【請求項６】
基準地点の風景を表す参照画像および基準地点の位置情報の少なくとも１つを送信する送信部と、
上記基準地点が変化していない期間と略同じ期間、地図が変化していない参照地点の検索結果を受信する受信部と、
上記検索した参照地点を表す情報を表示する表示部と、
を備えたことを特徴とするカメラ。
【手続補正２】
【補正対象書類名】明細書
【補正対象項目名】発明の名称
【補正方法】変更
【補正の内容】
【発明の名称】地図表示方法およびカメラ
【手続補正３】
【補正対象書類名】明細書
【補正対象項目名】０００１
【補正方法】変更
【補正の内容】
【０００１】
本発明は、地図表示方法およびカメラに関し、詳しくは、古くからある建物や町並みを探すのに便利な地図表示方法およびカメラに関する。
【手続補正４】
【補正対象書類名】明細書
【補正対象項目名】０００５
【補正方法】変更
【補正の内容】
【０００５】
本発明は、このような事情を鑑みてなされたものであり、古くからある建物や町並みを簡単に探すことのできる地図表示方法およびカメラを提供することを目的とする。
【手続補正５】
【補正対象書類名】明細書
【補正対象項目名】０００６
【補正方法】変更
【補正の内容】
【０００６】
上記目的を達成するため第１の発明に係わる地図表示方法は、基準地点の地図または風景が変化していない期間と略同じ期間、地図が変化していない参照地点を検索し、この検索した参照地点を表す情報を表示する。
【手続補正６】
【補正対象書類名】明細書
【補正対象項目名】０００７
【補正方法】変更
【補正の内容】
【０００７】
第２の発明に係わる地図表示方法は、上記第１の発明において、カメラの位置情報を、インターネット網を介してサーバーに送信し、上記サーバーは上記位置情報に基づいて上記参照地点の検索を行い、上記参照地点を表わす情報を上記インターネット網を介して上記カメラに送信する。
また、第３の発明に係わる地図表示方法は、上記第１の発明において、カメラで撮影した画像を、インターネット網を介してサーバーに送信し、上記サーバーは上記画像に基づいて上記参照地点の検索を行い、上記参照地点を表わす情報を上記インターネット網を介して上記カメラに送信する。
【手続補正７】
【補正対象書類名】明細書
【補正対象項目名】０００８
【補正方法】変更
【補正の内容】
【０００８】
さらに、第４の発明に係わる地図表示方法は、携帯情報機器の位置情報を取得し、上記携帯情報機器は、上記位置情報をサーバーに送信し、上記サーバーは、上記携帯情報機器からの上記位置情報を受信すると、上記位置情報に基づいて、年代別地図ＤＢに記録されている地図情報を検索し、地図上の変化を判定し、基準地点の地図または風景が変化していない期間と略同じ期間、地図が変化していない参照地点を検索し、この検索した参照地点を表す情報を上記携帯情報機器に送信し、上記携帯情報機器は表示部に上記検索した参照地点を表わす情報を表示する。
【手続補正８】
【補正対象書類名】明細書
【補正対象項目名】０００９
【補正方法】変更
【補正の内容】
【０００９】
さらに、第５の発明に係わる携帯機器における地図表示方法は、基準地点の風景を表す参照画像および基準地点の位置情報の少なくとも１つをサーバーに送信し、上記サーバーより、上記基準地点の地図が変化していない期間と略同じ期間、地図が変化していない参照地点の検索結果を受信し、上記検索した参照地点を表す情報を表示する。
【手続補正９】
【補正対象書類名】明細書
【補正対象項目名】００１０
【補正方法】変更
【補正の内容】
【００１０】
上記目的を達成するため第６の発明に係わるカメラは、基準地点の風景を表す参照画像および基準地点の位置情報の少なくとも１つを送信する送信部と、上記基準地点が変化していない期間と略同じ期間、地図が変化していない参照地点の検索結果を受信する受信部と、上記検索した参照地点を表す情報を表示する表示部を備える。
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】変更
【補正の内容】
【００１２】
本発明によれば、古くからある建物や町並みを簡単に探すことのできる地図表示方法およびカメラを提供することができる。
【手続補正１２】
【補正対象書類名】明細書
【補正対象項目名】００２３
【補正方法】変更
【補正の内容】
【００２３】
１９７７年から２００７までの地図を調べると、昔は道が少ないが、時代とともに開発が進み、新しく道が作られていることが分かる。また、標高も表示されている地図では、地形の変化も判定できる。変化の分類として、１９７７年から変化がない場合は「変化小１」、１９８７年から変化がない場合は「変化小２」、１９９７年から変化がない場合は、「変化小３」と分類することができる。
【手続補正１３】
【補正対象書類名】明細書
【補正対象項目名】００２４
【補正方法】変更
【補正の内容】
【００２４】
このような分類は、図３に示す場所でも、図４に示す場所でも、同様の判定が可能である。ユーザーが、図３に示す地図上で、変化小２を示す場所で見つけた建物が気に入った場合、この時代の流行の建物に興味があると考えられる。そこで、変化小２に分類された場所を他の地域から探し出し、例えば、図４に示す地図上に表示すれば、その場所にユーザーの好みの建物の写真撮影が出来る可能性がある。
【手続補正１４】
【補正対象書類名】明細書
【補正対象項目名】００４６
【補正方法】変更
【補正の内容】
【００４６】
ステップＳ２２２における判定の結果、名称特定可能であれば、名称情報で、自然言語による検索を行う（Ｓ２２３）。この検索結果に基づいて、建築の年代や作者を特定する（Ｓ２２４）。そして、同一年代や同一作者による建築物等で他の場所にあるものを検索する（Ｓ２２５）。この後、検索結果に基づいて、ステップＳ２０３で受信したユーザーの送信操作を行った場所に近いところを地図化し（Ｓ２２６）、この地図化された情報をカメラ１０に送信する（Ｓ２２７）。これによって、ユーザーが直ぐに行ける場所で、送信画像の建物等と同様な歴史的背景を持っていたり、作者が同じ建物の場所が地図上に表示される。送信が終わると、リターンし、最初に戻る。
【手続補正１５】
【補正対象書類名】明細書
【補正対象項目名】００５１
【補正方法】変更
【補正の内容】
【００５１】
ステップＳ２４１において所定エリアを指定すると、次に、Ｎ＝１と変数Ｎを初期化する（Ｓ２４２）。所定エリア内または近傍において、現在の地図とＮ年前の地図を比較する（Ｓ２４３）。続いて、比較した年代がＮｂ＋１０年前かを判定する（Ｓ２４４）。判定の結果、Ｎｂ＋１０年まで達していない場合には、変数Ｎに２を加算して、すなわち、Ｎ＝Ｎ＋２とする（Ｓ２４５）。この後、ステップＳ２４３に戻り、地図比較を行う。
【手続補正１６】
【補正対象書類名】明細書
【補正対象項目名】００５５
【補正方法】変更
【補正の内容】
【００５５】
なお、本実施形態においては、ステップＳ２０３において画像を受信すると共に、風景画像も受信していた。ステップＳ２２２→Ｓ２２３以下における風景画像から画像の名称の特定化を省略する場合には、風景画像の送信を省略することができる。また、本実施形態においては、地図上の変化を道路に基づいて判定していたが、これに限らず、水田、果樹園、住宅地といった土地利用状態や、また標高等に基づいて判定するようにしても勿論かまわない。